(57)【要約】【課題】肩部の傾斜角度を設定する場合には、１目減らしや２目減らし等の減らし処理の組み合わせで形成しており、型紙通りの傾斜角度が必要な場合にはその角度の形成が難しい。本発明では、横編機により型紙通りに傾斜角度を設定できる袖山頂部より延伸する肩部を備えるニットウェアとその編成方法を提供する。【解決手段】前後針床の少なくとも一方がラッキング可能な横編機を用い、前後身頃の各終端編目間に袖山頂部より延伸する肩部を備えるニットウェアの編成方法において、袖山頂部の形成後、前身頃と後身頃をそれぞれ、終端の編目まで形成する工程と、前記工程に続いて、針床に係止する袖山の編目に続けて折り返し編成を行い、該折り返し編成の任意の編成コース端部近傍の編目と前後身頃の終端の編目を接合する。【選択図】図２
2011006820.tif 000002
【特許請求の範囲】
【請求項１】
少なくとも前後一対の針床を有し、前後針床の少なくとも一方がラッキング可能な横編機を用いて、前後身頃の各終端編目間に袖山頂部より延伸する肩部を備えるニットウェアの編成方法において、
袖山頂部より延伸する肩部の形成は、
左右の袖山の形成とともに、両袖山に係止する編目と身頃を接合し、前身頃と後身頃をそれぞれ、終端の編目まで形成する工程と、
前記工程に続いて、針床に係止する袖山の編目に続けて折り返し編成を行い、該折り返し編成の任意の編成コース端部近傍の編目と前後身頃の終端の編目を接合する工程を含むことを特徴とする前後身頃の各終端編目間に袖山頂部より延伸する肩部を備えるニットウェアの編成方法。
【請求項２】
前記身頃の終端の編目の形成は、引き返し編成により身頃の編目を順次不作用状態に置きながら肩部の傾斜角度を設けることを特徴とする請求項１記載の前後身頃の各終端編目間に袖山頂部より延伸する肩部を備えるニットウェアの編成方法。
【請求項３】
前記肩部の形成は、該肩部の編幅で前身頃と後身頃の編目数が異なる際に、前身頃と後身頃の境界を前後針床間に位置するように針床をラッキングした状態で編目を形成することを特徴とする請求項１または２記載の前後身頃の各終端編目間に袖山頂部より延伸する肩部を備えるニットウェアの編成方法。
【請求項４】
少なくとも前後一対の針床を有し、前後針床の少なくとも一方がラッキング可能な横編機を用いて形成され、前後身頃の各終端編目間に袖山頂部より延伸する肩部を備えるニットウェアにおいて、両袖の袖山頂部より編目が延伸する左右一対の肩部が、折り返し編成により前後身頃と途切れた状態で形成され、肩部と前後身頃は、肩部の両端近傍の編目と前後身頃の終端の編目の接合で繋がっていることを特徴とする前後身頃の各終端編目間に袖山頂部より延伸する肩部を備えるニットウェア。
【発明の詳細な説明】
【技術分野】
【０００１】
本発明は、横編機で前後身頃の各終端編目間に、型紙通りに傾斜角度を設定できる袖山頂部より延伸する肩部を備えるニットウェアおよびその編成方法に関する。
【背景技術】
【０００２】
文献１では、セットインセーターの衿ぐりのウェール数を増やし、広い衿幅の衿を形成して着心地の向上を図っている。その編成過程において、前身頃を左右に分岐後Ｃ字状に折り返し、前衿ぐりを円弧状に形成しながら開口を広げた後、後身頃と後袖の上部に設けた延出部を、コース方向に繋がった状態でＣ字状に折り返し編成しながら、口径を減らして肩部（延出部）を形成している。延出部は、袖山の上部と衿ぐり間に位置し、前記減らしを行い後身頃と重ね目を設けることで後身頃の編目に対し、斜めの方向を向き、延出部としての傾斜角度を設けている。後身頃と重ね目を設けた逆側の延出部の端部は前身頃の端部と接合する。
【先行技術文献】
【特許文献】
【０００３】
【特許文献１】特許第４２５２７５２号公報
【発明の概要】
【発明が解決しようとする課題】
【０００４】
文献１の編成方法では、袖山から延びた延出部が肩部として後身頃側に配置されている。延出部が後身頃と一緒に編成され、減らし処理を行って肩部の傾斜角度を決定している。該傾斜角度は、身頃の編目とそれに対して傾いて形成されている肩部との角度を示している。減らし処理は、編成の容易性から１目減らし、２目減らし等を組合せており、傾斜角度はそれらを組み合わせたものとなる。編成上の問題はないが、型紙通りの傾斜角度が必要な場合にはその角度の形成が難しい場合もある。例えば、傾斜角度が４５度などであれば、２コースの編成を行う際に２目減らしを１回のパターンで繰り返せばその角度を形成できるが、傾斜角度が５度の場合には、減らし目数の大きい３目減らしを毎コース行ってもその角度は形成できない。延出部の傾斜角度は、重ね目を形成する減らしの目数とその回数を組み合わせて決まるため、傾斜角度の制約が生じてしまう。本発明では、前後身頃の各終端編目間に、型紙通りに傾斜角度を設定できる袖山頂部より延伸する肩部を備えるニットウェアとその編成方法を提供する。
【課題を解決するための手段】
【０００５】
本発明の編成方法は、少なくとも前後一対の針床を有し、前後針床の少なくとも一方がラッキング可能な横編機を用いて、前後身頃の各終端編目間に袖山頂部より延伸する肩部を備えるニットウェアの編成方法において、
袖山頂部より延伸する肩部の形成は、
左右の袖山の形成とともに、両袖山に係止する編目と身頃を接合し、前身頃と後身頃をそれぞれ、終端の編目まで形成する工程と、
針床に係止する袖山の編目に続けて折り返し編成を行い、該折り返し編成の任意の編成コース端部近傍の編目と前後身頃の終端の編目を接合する工程を含むことを特徴とする。
【０００６】
また、前記身頃の終端の編目の形成は、引き返し編成により身頃の編目を順次不作用状態に置きながら肩部の傾斜角度を設けることを特徴とする。
【０００７】
さらにまた、前記肩部の形成は、該肩部の編幅で前身頃と後身頃の編目数が異なる際に、その境界を前後針床間に位置するように針床をラッキングした状態で編目を形成することを特徴とする。
【０００８】
少なくとも前後一対の針床を有し、前後針床の少なくとも一方がラッキング可能な横編機を用いて形成され、前後身頃の各終端編目間に袖山頂部より延伸する肩部を備えるニットウェアにおいて、両袖の袖山頂部より編目が延伸する左右一対の肩部が、折り返し編成により前後身頃と途切れた状態で形成され、肩部と前後身頃は、肩部の両端近傍の編目と前後身頃の終端の編目の接合で繋がっていることを特徴とする。
【発明の効果】
【０００９】
本発明の編成方法によれば、肩部を備えるニットウェアにおいて、前後身頃の形成の後、独立した肩部を形成することで、型紙通りの傾斜角度を形成できる。
【００１０】
また、本発明の編成方法によれば、前記身頃の終端の編目を引き返し編成で形成することで、身頃終端の形状を自由に設定できる。
【００１１】
また、本発明の編成方法によれば、前記肩部の編幅で前身頃と後身頃の編目数が異なる際に、肩部の前身頃と後身頃の境界を前後針床間の位置に移動して編成することで、捻れ目が形成されない為に見栄えがよい。
【００１２】
本発明の前後身頃の各終端編目間に袖山頂部より延伸する肩部を備えるニットウェアによれば、袖山頂部と衿間に位置する左右一対の肩部の編幅や形状、傾斜角度や形成位置が自由となるデザイン性が高いニットウェアが可能となる。
【図面の簡単な説明】
【００１３】
【図１】本発明の実施例であるセーターを示す図である。
【図２】本発明の実施例のセーターの型紙を示す図である。
【図３】本発明の実施例のセーターの型紙を示す図２での各段階における編成の概略を示す図である。
【発明を実施するための形態】
【００１４】
次に、本発明の好適な実施例を図面に基づいて詳細を説明する。この実施例では、後針床が左右にラッキング可能で、前後の針床間で編目の目移しが可能な２枚ベッド横編機を用いて、無縫製のセーター１を形成する。筒状に編成するので、空針を設ける為に１本置きの編針を使用するが、空針を設ける必要がない４枚ベッドの横編機を使用して編成してもよい。
【実施例】
【００１５】
図１は、本発明の実施例であるセーター１を示す。本実施形態で編成されるセーター１は、前身頃２Ｆと後身頃２Ｂで構成される身頃２と、その外側に右袖３と左袖４を有し、右袖山５Ｒ，左袖山５Ｌの各端部である右袖山頂部６Ｒ，左袖山頂部６Ｌより延伸する右肩部７Ｒと左肩部７Ｌ、そしてタートル衿９を備える。身頃２には裾２１、右袖３には右袖口３１、左袖４には左袖口４１を有し、それぞれ異なる給糸口を用いて筒状に形成する。図中、前身頃２Ｆと右肩部７Ｒ，左肩部７Ｌとの境界ラインを、右前肩接合部８ＦＲと左前肩接合部８ＦＬで示し、後身頃２Ｂと右肩部７Ｒ，左肩部７Ｌとの境界ラインは、右後肩接合部８ＢＲと左後肩接合部８ＢＬで示す。肩接合部８は、肩部７の傾斜角度を決定する部分で、左右の袖山頂部６Ｒ，６Ｌを結ぶラインとの角度を示す。前身頃２Ｆと後身頃２Ｂはそれぞれ独立しており、別々の角度でも良く、傾斜角度が０度でも良い。さらに引き返し編成を利用すれば、折り返す位置や繰り返す回数も自由にでき、様々な形状が形成できる。
【００１６】
図２は、本発明の実施例のセーター１の型紙図を示す。上側がセーター１着用時に後側となる後身頃２Ｂと右後袖３Ｂ，左後袖４Ｂを示し、これらは後針床で編成する。また、下側は着用時に前側となる前身頃２Ｆと右前袖３Ｆ，左前袖４Ｆを示し、これらは前針床で編成する。裾２１Ｆ，２１Ｂと右袖口３１Ｆ，３１Ｂ、左袖口４１Ｆ，４１Ｂの編み始めから袖山頂部６までは、前後身頃と両袖ともに同じ形状となっており、上下対称の型紙となっている。また、本実施例ではタートル衿９も同じ型紙となっている。図中に示すＸＸ−ＸＸの位置とＹＹ−ＹＹの位置の袖山頂部６の形成以降においては、前後身頃で、丈や肩接合部８Ｆ，８Ｂの角度、肩部７の占める割合などが異なっている。また、図中の符号に示す数字の後のアルファベット４文字は、図１でも示したように、各部位などの補足としてＦは前側，Ｂは後側，Ｒは右側，Ｌは左側の意を示して組み合わせて符号の詳細を示している。
【００１７】
図３は、本発明の実施例のセーター１の型紙を示す図２での各段階における編成の概略図を示す。図中に示すＳ＋数字は各ステップの表示であり、図２と図３の各ステップは共通であって、Ｓ１から順次Ｓ６に進む。以降、図２と図３とともに編成の工程を説明する。Ｓ１では、裾２１と右袖口３１と左袖口４１をそれぞれ筒状に編成し、続いてＳ２に至る身頃２と、右袖３と、左袖４を筒状に編成する。Ｓ２では、前身頃２Ｆの各点ａ，Ａは右前袖３Ｆ，左前袖４Ｆの各点ｉ，Ｉと接合され、後身頃２Ｂの各点ｏ，Ｏは右後袖３Ｂ，左後袖４Ｂの各点ｗ，Ｗと接合される。前身頃２Ｆ，後身頃２Ｂと右前袖３Ｆ，右後袖３Ｂ，左前袖４Ｆ，左後袖４Ｂが１つの連続した筒状となる。Ｓ３では、左前袖４Ｆ，前身頃２Ｆ，右前袖３Ｆ，右後袖３Ｂ，後身頃２Ｂ，左後袖４Ｂを筒状に編成しながら、右袖３、左袖４において適宜、身頃２と重ねられて編幅を減らす。前身頃２Ｆの線Ａ−Ｂは左前袖４Ｆの線Ｉ−Ｊと、線ａ−ｂは右前袖３Ｆの線ｉ−ｊと接合する。同様に後身頃２Ｂの線Ｏ−Ｐは左後袖４Ｂの線Ｗ−Ｘと、線ｏ−ｐは右後袖３Ｂの線ｗ−ｘと接合する。
【００１８】
Ｓ４では、衿の前下がりを設けるために、前身頃２Ｆを線ｂ−Ｂの編幅で折り返し編成しながら点ＢＢの位置に至ると、左前身頃２ＦＬで引き返し編成を行い、編目を順次不作用状態に置きながら左前肩接合部８ＦＬを線Ｄ−Ｃに形成する。同様にして、右前身頃２ＦＲで引き返し編成を行い、編目を順次不作用状態に置きながら右前肩接合部８ＦＲを線ｄ−ｃに形成する。更に、後身頃２Ｂを線ｐ−Ｐの編幅で折り返し編成しながら線ｑ−Ｑの位置に至ると、引き返し編成を行い、編目を順次不作用状態に置きながら左後肩接合部８ＢＬと右後肩接合部８ＢＲを線Ｒ−Ｑと線ｒ−ｑに形成する。
【００１９】
前身頃２Ｆと後身頃２Ｂに肩接合部８を形成する前に、肩部７に繋がる前後左右の各袖の一部の編目を残して、右袖３、左袖４の編目と身頃２を接合する。この時、前後針床に残った袖の編目の状態が肩部７の形成位置を決めその編幅となる。例えば、前後同数の編目が両針床に残っていれば、肩部７は前後身頃で対称の位置に形成され、前針床のみに編目が残っていれば、肩部７は前身頃２Ｆの位置に形成される。肩部７の編幅は、前後針床に残った編目数の合計で決まり、前後針床に残す編目の位置を変更すれば、形成位置も自由に設定できる。先行して形成する前身頃２Ｆでは、線Ｂ−Ｃには左袖山頂部６Ｌの線Ｊ−Ｋを、線ｂ−ｃには右袖山頂部６Ｒの線ｊ−ｋを接合する。この場合接合することで袖幅が減少し、後身頃２Ｂとの差が生じる為、後身頃２Ｂの編目を前身頃２Ｆ側に回し込む。また後身頃２Ｂでは、線Ｐ−Ｑには左袖山頂部６Ｌの線Ｘ−Ｙを、線ｐ−ｑには右袖山頂部６Ｒの線ｘ−ｙを接合する。後身頃２Ｂで接合する場合も、前身頃２Ｆでの回し込みと同じ理由から、その逆方向に編目を回し込む。肩接合部８は、引き返し編成で形成することで編目のウェール差を設ける折り返し位置を自由にでき、その端部の編目を結ぶラインが自由な傾斜角度の形成を可能とする。
【００２０】
Ｓ５では、左肩部７Ｌを先行して形成する。具体的には、左肩部７Ｌの前身頃２Ｆ側の点Ｅ，Ｆ，Ｇ，Ｈを結ぶ領域の線Ｇ−Ｈと、後身頃２Ｂ側の点Ｓ，Ｔ，Ｕ，Ｖを結ぶ領域の線Ｕ−Ｖが繋がる。その繋がった肩部７における前身頃と後身頃の境界を、前後針床間に位置する状態に後針床をラッキングして合わせ、前後針床を用いてＣ字状に折り返し編成をする。実施例では、同じ編幅で折り返しているが、編幅を増減して折り返しても良い。線Ｆ−Ｅ上に並ぶ編目は左前肩接合部８ＦＬの線Ｄ−Ｃに位置する編目に、線Ｔ−Ｓ上に並ぶ編目は左後肩接合部８ＢＬの線Ｒ−Ｑに位置する編目に順次接合する。いずれにおいても、接合する線間は同じ目数とは限らず、肩部７の突っ張りやだぶつきを防ぐように、接合する比率を調整する。肩部７の編成コース数のウェール方向の編目数と、肩接合部８におけるコース方向の編目数によるバランスをとる。接合位置は、順次タートル衿９に近づく。肩接合部８と接合する肩部７の編目は、両端の編目を使ってもよいが、１目乃至２目内側の編目を使うことで、接合した部分が割れずに綺麗に仕上がる。
【００２１】
左肩部７Ｌが終了すると、右肩部７Ｒを同様に形成する。右肩部７Ｒの前身頃２Ｆ側である点ｅ，ｆ，ｇ，ｈを結ぶ領域の線ｇ−ｈと、後身頃２Ｂ側である点ｓ，ｔ，ｕ，ｖを結ぶ領域の線ｕ−ｖが繋がる。その繋がった肩部７における前身頃と後身頃の境界を、前後針床間に位置する状態に後針床をラッキングして合わせ、前後針床をＣ字状に折り返し編成をする。線ｆ−ｅ上に並ぶ編目は右前肩接合部８ＦＲの線ｄ−ｃに位置する編目に、線ｔ−ｓ上に並ぶ編目は右後肩接合部８ＢＲの線ｒ−ｑに位置する編目に順次接合する。左右の肩部７を形成する編目は、左肩部７Ｌは左前袖４Ｆから左後袖４Ｂの線Ｋ−Ｌ−Ｚ−Ｙに、右肩部７Ｒは右前袖３Ｆから右後袖３Ｂの線ｋ−ｌ−ｚ−ｙに係止する編目に繋がる。肩部７の領域において、前身頃２Ｆ側と後身頃２Ｂ側の境界を前後針床間に位置するように前後針床をラッキングして編成するようにすれば、身頃と袖の接合で回し込みをした編目の捻れが解消される。
【００２２】
Ｓ６では、編針に係止する線ｄ−Ｄ間の編目と線ｒ−Ｒ間の編目を使って、点ａａ，ＡＡ，Ｍ，ｍを周回してタートル衿９を形成し、タートル衿９の終端の編目に対し、公知の伏目を行ってセーター１の編成を完成する。      
【００２３】
本実施例では、左右の肩部７は矩形であり、前後の身頃２に渡って形成したが、減らしや増やし編成で肩部７を成型することができる。また、肩部７の編幅を増やすと衿ぐりの周長が増えることになり、衿の前後下がりを深くすることができる。衿ぐりに向けて編幅を増やし、台形に形成すればより効果が大きくなる。衿の下がりを深くするには、衿ぐりの引き返し編成を増やす方法などがあるが、引き返し編成を増やせば不作用状態に置く編目が増えることで、前後針床の歯口下への編地の下がりが悪くなり編成が難しくなる。本発明では、肩部７の折り返し編成と身頃２との重ね目の形成を行う編成であり、不作用状態に置く編目がないため、編地の下がりには影響せず編成が容易となる。さらに、肩部７の編目は、身頃２の編目に対しコース方向の向きで接合され、編目として伸びやすいそのコース方向が衿の下がりの方向と重なり、衿の下がりの条件が向上する。
【００２４】
また、本実施例では、長袖のセーター１を形成しているが、半袖のセーターにも適用できる。肩部７に延伸する袖山頂部６の編目列があればよい。さらに、タートル衿９についても、本実施例以外のＶ首や丸首にも適用できる。
【符号の説明】
【００２５】
１                セーター    
２                身頃        
３                右袖
４                左袖
７                肩部
８                肩接合部
９                タートル衿
【図１】
2011006820.tif 000003
【図２】
2011006820.tif 000004
【図３】
2011006820.tif 000005